(57)【要約】【解決手段】瓦本体１の表面１ａ側で複数の溝部３を一体成形して並設した苔植付け範囲部を備えている。溝部３は、両側面７と、両側面７間の底面８と、両側面７と底面８との間で囲まれた苔植付け室９と、苔植付け室９を底面８に面して開放する開口１０とを有している。溝部３の内側で底面８と両側面７とに凹凸状の苔植付け面を設けている。【効果】瓦本体１の成形時に苔植付け範囲部の溝部３を一体成形することができ、溝部３に苔を植えた際に苔による断熱効果や二酸化炭素減少効果を効率的に発揮させることができるばかりでなく、溝部３を利用して屋根瓦に苔を植生させ易い。凹凸状苔植付け面により溝部３内の水流が抑制されて溝部３内の苔が流されにくくなるとともに、凹凸状苔植付け面が移動抵抗となって苔が溝部３の長手方向Ｘへ移動力しにくくなり、苔が溝部３から剥離しにくい。【選択図】図２
2009159895.tif 000002
【特許請求の範囲】
【請求項１】
瓦本体の表面側で複数の溝部を一体成形して並設した苔植付け範囲部を備え、その苔植付け範囲部の溝部に苔を植えて瓦本体の表面側に露出させたことを特徴とする苔瓦。
【請求項２】
瓦本体の表面側で複数の苔植え溝部を一体成形して並設した苔植付け範囲部を備え、この苔植え溝部の内側に凹凸状の苔植付け面を設けたことを特徴とする苔植え用瓦。
【請求項３】
前記苔植え溝部は、両側面と、この両側面間の底面と、この両側面と底面との間で囲まれた苔植付け室と、この苔植付け室を底面に面して開放する開口とを有し、前記凹凸状の苔植付け面はこの底面と側面とのうち少なくともいずれか一方に設けられていることを特徴とする請求項２に記載の苔植え用瓦。
【請求項４】
瓦本体の表面側で複数の苔植え溝部を一体成形して並設した苔植付け範囲部を備え、この苔植付け範囲部は苔植え溝部を互いに交差させて連通させた交差部を有していることを特徴とする苔植え用瓦。
【請求項５】
瓦本体の表面側で複数の苔植え溝部を一体成形して並設した苔植付け範囲部を備え、この苔植付け範囲部は瓦本体の敷設状態で上側になる上辺部または下側になる下辺部に対し傾斜する苔植え溝部を有していることを特徴とする苔植え用瓦。
【請求項６】
瓦本体の表面側で複数の苔植え溝部を一体成形して並設した苔植付け範囲部を備え、この苔植え溝部は、両側面と、この両側面間の底面と、この両側面と底面との間で囲まれた苔植付け室と、この苔植付け室を底面に面して開放する開口とを有し、この苔植え溝部で長手方向に対し直交する幅方向における開口の幅方向寸法をその開口に隣接する両側面間の幅方向寸法よりも狭くしたことを特徴とする苔植え用瓦。
【請求項７】
陶器瓦本体の裏面側に釉薬を塗布するとともに、陶器瓦本体の表面側で複数の苔植え溝部を一体成形して並設した苔植付け範囲部に釉薬を塗布しない状態で、陶器瓦本体を焼成したことを特徴とする苔植え用瓦。
【発明の詳細な説明】
【技術分野】
【０００１】
本発明は、苔を植えた苔瓦、並びに、苔を植えるために用いる苔植え用瓦に関するものである。
【背景技術】
【０００２】
従来の屋根瓦としては陶器などの各種材質により成形されたものが存在し、そのような屋根瓦では苔が自然に発生する場合もあり、その苔による断熱効果や二酸化炭素減少効果を期待することができる。
【発明の開示】
【発明が解決しようとする課題】
【０００３】
しかし、自然発生的な苔であるため、十分な断熱効果や二酸化炭素減少効果を期待することができない。
この発明は、屋根瓦に苔が植生し易いように改良して、断熱効果や二酸化炭素減少効果を効率的に発揮させることを目的としている。
【課題を解決するための手段】
【０００４】
後記実施形態の図面（図１（ａ）及び図２〜３に示す第１実施形態、図１（ｂ）及び図２〜３に示す第２実施形態、図１（ｃ）及び図２〜３に示す第３実施形態）の符号を援用して本発明を説明する。
【０００５】
請求項１の発明にかかる苔瓦においては、瓦本体１の表面１ａ側で複数の溝部３を一体成形して並設した苔植付け範囲部２を備え、その苔植付け範囲部２の溝部３に苔１４を植えて瓦本体１の表面１ａ側に露出させている。請求項１の発明では、瓦本体１の成形時に苔植付け範囲部２の溝部３を一体成形することができ、その溝部３に苔１４を植えた際にその苔１４による断熱効果や二酸化炭素減少効果を効率的に発揮させることができるばかりでなく、その溝部３を利用して屋根瓦に苔１４を植生させ易い。
【０００６】
請求項２の発明にかかる苔植え用瓦においては、瓦本体１の表面１ａ側で複数の苔植え溝部３を一体成形して並設した苔植付け範囲部２を備え、この苔植え溝部３の内側に凹凸状の苔植付け面７，８を設けている。請求項２の発明では、瓦本体１の成形時に苔植付け範囲部２の苔植え溝部３を一体成形することができ、その苔植え溝部３に苔１４を植えた際にその苔１４による断熱効果や二酸化炭素減少効果を効率的に発揮させることができるばかりでなく、その苔植え溝部３を利用して屋根瓦に苔１４を植生させ易い。しかも、この苔植え溝部３の内側に設けた凹凸状苔植付け面７，８により苔植え溝部３内の水流が抑制されて苔植え溝部３内の苔１４が流されにくくなるとともに、その凹凸状苔植付け面７，８が移動抵抗となって苔１４が苔植え溝部３の長手方向Ｘへ移動力しにくくなり、苔１４が苔植え溝部３から剥離しにくい。
【０００７】
請求項２の発明を前提とする請求項３の発明において、前記苔植え溝部３は、両側面７と、この両側面７間の底面８と、この両側面７と底面８との間で囲まれた苔植付け室９と、この苔植付け室９を底面８に面して開放する開口１０とを有し、前記凹凸状の苔植付け面はこの底面８と側面７とのうち少なくともいずれか一方に設けられている。請求項３の発明では、苔植え溝部３からの苔１４の剥離防止効果を凹凸状の苔植付け面としての底面８または側面７により発揮させることができる。
【０００８】
請求項４の発明にかかる苔植え用瓦においては、瓦本体１の表面１ａ側で複数の苔植え溝部３を一体成形して並設した苔植付け範囲部２を備え、この苔植付け範囲部２は苔植え溝部３を互いに交差させて連通させた交差部６を有している。請求項４の発明では、瓦本体１の成形時に苔植付け範囲部２の苔植え溝部３を一体成形することができ、その苔植え溝部３に苔１４を植えた際にその苔１４による断熱効果や二酸化炭素減少効果を効率的に発揮させることができるばかりでなく、その苔植え溝部３を利用して屋根瓦に苔１４を植生させ易い。しかも、苔植え溝部３を互いに交差させて連通させた交差部６により苔植え溝部３内の水流が抑制されて苔植え溝部３内の苔１４が流されにくくなるとともに、その交差部６が移動抵抗となって苔１４が苔植え溝部３の長手方向Ｘへ移動力しにくくなり、苔１４が苔植え溝部３から剥離しにくい。
【０００９】
請求項５の発明にかかる苔植え用瓦においては、瓦本体１の表面１ａ側で複数の苔植え溝部３を一体成形して並設した苔植付け範囲部２を備え、この苔植付け範囲部２は瓦本体１の敷設状態で上側になる上辺部４または下側になる下辺部５に対し傾斜する苔植え溝部３を有している。請求項５の発明では、瓦本体１の成形時に苔植付け範囲部２の苔植え溝部３を一体成形することができ、その苔植え溝部３に苔１４を植えた際にその苔１４による断熱効果や二酸化炭素減少効果を効率的に発揮させることができるばかりでなく、その苔植え溝部３を利用して屋根瓦に苔１４を植生させ易い。しかも、苔植え溝部３の傾斜により苔植え溝部３内の水流が抑制されて苔植え溝部３内の苔１４が流されにくくなるとともに、その傾斜が移動抵抗となって苔１４が苔植え溝部３の長手方向Ｘへ移動力しにくくなり、苔１４に働く長手方向Ｘの移動力が軽減され、苔１４が苔植え溝部３から剥離しにくい。
【００１０】
請求項６の発明にかかる苔植え用瓦においては、瓦本体１の表面１ａ側で複数の苔植え溝部３を一体成形して並設した苔植付け範囲部２を備え、この苔植え溝部３は、両側面７と、この両側面７間の底面８と、この両側面７と底面８との間で囲まれた苔植付け室９と、この苔植付け室９を底面８に面して開放する開口１０とを有し、この苔植え溝部３で長手方向Ｘに対し直交する幅方向Ｙにおける開口１０の幅方向寸法ＷＵをその開口１０に隣接する両側面７間の幅方向寸法ＷＤよりも狭くしている。請求項６の発明では、瓦本体１の成形時に苔植付け範囲部２の苔植え溝部３を一体成形することができ、その苔植え溝部３に苔１４を植えた際にその苔１４による断熱効果や二酸化炭素減少効果を効率的に発揮させることができるばかりでなく、その苔植え溝部３を利用して屋根瓦に苔１４を植生させ易い。しかも、苔植え溝部３の開口１０を狭くしているので、その開口１０が移動抵抗となって苔１４が苔植え溝部３から抜けにくくなり、苔１４が苔植え溝部３から剥離しにくい。
【００１１】
請求項７の発明にかかる苔植え用瓦においては、陶器瓦本体１の裏面１ｂ側に釉薬を塗布するとともに、陶器瓦本体１の表面１ａ側で複数の苔植え溝部３を一体成形して並設した苔植付け範囲部２に釉薬を塗布しない状態で、陶器瓦本体１を焼成している。請求項７の発明では、瓦本体１の成形時に苔植付け範囲部２の苔植え溝部３を一体成形することができ、その苔植え溝部３に苔１４を植えた際にその苔１４による断熱効果や二酸化炭素減少効果を効率的に発揮させることができるばかりでなく、その苔植え溝部３を利用して屋根瓦に苔１４を植生させ易い。しかも、釉薬を塗布しない苔植付け範囲部２で保水性を高めて苔１４の成長を良くすることができるとともに、裏面１ｂ側の釉薬により陶器瓦本体１の防水性を高めることができる。
【００１２】
次に、請求項以外の技術的思想について実施形態の図面の符号を援用して説明する。
請求項１から請求項６のうちいずれか一つの請求項の発明を前提とする第８の発明において、瓦本体１は陶器により成形されている。第８の発明では、請求項１から請求項６のうちいずれか一つの請求項の発明の効果を陶器瓦において発揮させることができる。
【００１３】
第９の発明にかかる苔瓦においては、請求項２から請求項７のうちいずれか一つの請求項に記載の苔植え用瓦で、その苔植付け範囲部２の苔植え溝部３に苔１４を植えて瓦本体１の表面１ａ側に露出させている。第９の発明では、請求項２から請求項７のうちいずれか一つの請求項の発明の効果を苔瓦として発揮させることができる。
【発明の効果】
【００１４】
本発明は、屋根瓦に苔１４が植生し易いように改良して、断熱効果や二酸化炭素減少効果を効率的に発揮させることができる。
【発明を実施するための最良の形態】
【００１５】
以下、本発明の実施形態にかかる屋根瓦について図面を参照して説明する。
図１（ａ）及び図２〜３に示す第１実施形態にかかる苔瓦や、図１（ｂ）及び図２〜３に示す第２実施形態にかかる苔瓦や、図１（ｃ）及び図２〜３に示す第３実施形態にかかる苔瓦においては、いずれも、陶器により成形された瓦本体１が裏面１ｂ側に釉薬を塗布するとともに表面１ａ側に釉薬を塗布しない状態で焼成され、その瓦本体１の表面１ａ側には複数の溝部３が一体成形されて並設された苔植付け範囲部２を備えている。それらの苔植付け範囲部２においては、瓦本体１の敷設状態で上側になる上辺部４または下側になる下辺部５の延設方向すなわち水平方向に対し各溝部３の一部または全部が傾斜し、その各溝部３が互いに交差して連通する交差部６が形成されている。
【００１６】
この苔植付け範囲部２において溝部３は、長手方向Ｘに対し直交する幅方向Ｙで相対向する苔植付け面としての両側面７と、この両側面７間の苔植付け面としての底面８と、この両側面７と底面８との間で囲まれた苔植付け室９と、この苔植付け室９を底面８に面して開放する開口１０とを有している。この両側面７は、凹凸状をなし、幅方向Ｙで相対向する凸部１１と幅方向Ｙで相対向する凹部１２とが長手方向Ｘで交互に形成されて互いに連続する波形状をなしている。この底面８は、各突起１３が長手方向Ｘや幅方向Ｙへ互いに間隔をあけて並設された凹凸状をなす。この両側面７は開口１０から底面８に向うに従い互いに間隔を広げるように傾斜しているため、この開口１０の幅方向寸法ＷＵはその開口１０に隣接する両側面７間の幅方向寸法ＷＤよりも狭くなっている。なお、両側面７が互いに略平行な状態で前記各凸部１１や各凹部１２や各突起１３を成形した後に開口１０を狭くし、その後に焼成する。この苔植付け範囲部２の各溝部３に苔１４を植えて瓦本体１の表面１ａ側に露出させる。
【００１７】
本実施形態は下記の効果を有する。
＊  苔植付け範囲部２の溝部３に植えられた苔１４により、屋根瓦内外の断熱効果を高めることができるとともに、大気中の二酸化炭素を吸収して減少させる効果も発揮させることができる。
【００１８】
＊  瓦本体１の成形時に苔植付け範囲部２の各溝部３を一体成形することができる。
＊  苔植付け範囲部２に形成した溝部３に苔１４を植えるようにしたので、屋根瓦に苔１４を容易に植生させることができる。なお、その溝部３に植えた苔１４で生じる模様により、屋根瓦の意匠的効果を向上させることができる。
【００１９】
＊  溝部３内に水流が生じても、溝部３に植えた苔１４が凹凸状の苔植付け面（側面７や底面８）の移動抵抗により移動しにくくなって溝部３から剥離しにくい。
＊  瓦本体１の上辺部４と下辺部５とを結ぶ方向Ｚに対し溝部３の長手方向Ｘが傾斜しているとともに、溝部３が互いに交差して交差部６により連通しているので、瓦本体１の敷設状態において溝部３内の水が瓦本体１の上辺部４側から下辺部５側へ緩やかに流れ落ち、溝部３で保水性を高めて苔１４の成長を良くすることができるとともに、溝部３に植えた苔１４の剥離を防止することができる。
【００２０】
＊  溝部３の開口１０を狭くするように両側面７を傾斜させているので、溝部３に植えた苔１４が両側面７に当って開口１０側へ移動しにくくなり、苔１４の剥離を防止することができる。
【００２１】
＊  苔１４を植えた苔植付け範囲部２で釉薬を塗布していないので、苔植付け範囲部２の保水性を高めて苔１４の成長を良くすることができる。一方、裏面１ｂ側には釉薬を塗布しているので、陶器瓦本体１の防水性を高めることができる。
【００２２】
＊  工場における瓦本体１の成形段階で苔植付け範囲部２の各溝部３に苔１４を植えているので、現場での苔１４の植付け作業を必要とせず、施工が行い易い。
前記実施形態以外にも例えば下記のように構成してもよい。
【００２３】
・  溝部３の苔植付け面としての両側面７において凹凸形状を変更する。例えば、苔植付け面としての底面８と同様に、各突起が互いに間隔をあけて並設された凹凸状に形成する。
【００２４】
・  溝部３の苔植付け面としての底面８において凹凸形状を変更する。例えば、苔植付け面としての側面７と同様に、凸部と凹部とが長手方向Ｘで交互に形成されて互いに連続する波形状に形成する。
【００２５】
・  溝部３の苔植付け面としての両側面７と、溝部３の苔植付け面としての底面８とのうち、いずれか一方の凹凸形状を省略する。
・  陶器瓦本体１の表面１ａ側に釉薬を塗布するとともにその裏面１ｂ側に釉薬を塗布しない状態で焼成する。
【００２６】
・  瓦本体１の材質としては、陶器以外に、セメントや金属などであってもよい。
【図面の簡単な説明】
【００２７】
【図１】（ａ）は第１実施形態にかかる苔瓦の表面側を概略的に示す平面図であり、（ｂ）は第２実施形態にかかる苔瓦の表面側を概略的に示す平面図であり、（ｃ）は第３実施形態にかかる苔瓦の表面側を概略的に示す平面図である。
【図２】（ａ）は第１〜３実施形態において苔を植える前の苔植え用瓦の表面側を概略的に示す部分平面図であり、（ｂ）は同じく部分断面図である。
【図３】（ａ）は第１〜３実施形態において苔を植えた苔瓦の表面側を概略的に示す部分平面図であり、（ｂ）は同じく部分断面図である。
【符号の説明】
【００２８】
１…瓦本体、１ａ…瓦本体の表面、１ｂ…瓦本体の裏面、２…瓦本体の苔植付け範囲部、３…苔植付け範囲部の溝部、４…瓦本体の上辺部、５…瓦本体の下辺部、６…溝部の交差部、７…溝部の苔植付け面としての側面、８…溝部の苔植付け面としての底面、９…溝部の苔植付け室、１０…溝部の開口、１４…苔、Ｘ…長手方向、Ｙ…幅方向、ＷＵ…幅方向寸法、ＷＤ…幅方向寸法。
【図１】
2009159895.tif 000003
【図２】
2009159895.tif 000004
【図３】
2009159895.tif 000005